(57)【特許請求の範囲】
【請求項１】
線材を螺旋状に巻いて攪拌体を形成し、この攪拌体を握持棒の先端部に取り付けて成るハンドミキサーにおいて、前記攪拌体の前記握持棒への取付部を、前記線材を螺旋巻きして握持棒の断面径と略同径若しくはやや小さい径のコイル状筒に形成し、このコイル状筒の線材のコイルピッチを密着若しくは幅狭く形成してコイル状筒の内周に雌ネジ部を形成し、この雌ネジ部に螺合する螺合山部を前記握持棒の先端部の小範囲に一乃至複数形成し、この螺合山部より間隔を置いた握持棒の先端寄りに前記コイル状筒の先端部に係止する係止凸部を形成し、この係止凸部と螺合山部との間隔を、螺合山部が前記雌ネジ部に螺合した状態で係止凸部がコイル状筒の先端に係止する間隔に設定し、前記握持棒の先端寄りの周面をこの握持棒の周方向に沿って打撃して溝を形成することで、この溝に隣接する握持棒の外周面を他の握持棒の外周面よりも膨出せしめ、この膨出部を前記係止凸部としたことを特徴とするハンドミキサー。
【請求項２】
前記握持棒の先端部に、前記雌ネジ部に螺合する雄ネジ部として機能する１／２条から１条程度の前記螺合山部を設けたことを特徴とする請求項１記載のハンドミキサー。
【発明の詳細な説明】
【０００１】
【発明の属する技術分野】
本発明は、洋酒、清涼飲料、果実飲料、健康飲料、調味料などの様々な飲料を攪拌することができるハンドミキサーに関するものである。
【０００２】
【従来の技術及び発明が解決しようとする課題】
この種ハンドミキサーに関して、本出願人は既に実用新案登録第１７８２５４６号を取得している。
【０００３】
この先願を簡単に説明すると、攪拌棒（握持棒）の先端部に攪拌体を設けたハンドミキサーにおいて、細い線材を使用し、これを螺旋状に巻き、上下端部を閉じた球状の伸縮性攪拌体を形成すると共にこの伸縮性攪拌体の上端部に線材を密に巻いたネジ孔部を形成し、このネジ孔に握持棒下端部に形成したネジ込部をネジ込み止着して攪握持下端部に伸縮性攪拌体を設けた構成である。
【０００４】
従って、このように構成した先願では、握持棒のネジ込部を伸縮性攪拌体のネジ孔部にネジ込んで止着するだけで良いから簡単にして握持棒の下端部に伸縮性攪拌体を取り付けることができ、それだけ作業能率を向上でき、製品のコストダウンを図ることができるという利点を有するものであった。
【０００５】
しかしながら、このような従来の握持棒と攪拌体との取り付け構造には、握持棒下端部にネジ込部を形成する、即ち握持棒下端部の所定範囲に雄ネジとして機能する複数条のネジ山を旋削や転造により形成するのであるが、この複数条のネジ山をネジ孔（雌ネジ）のピッチに合わせたものに形成することは非常に厄介で且つコストもかかる作業であった。
【０００６】
本発明は、このような従来のハンドミキサーの問題点を見い出し、これを解決するもので、握持棒に製作が厄介な雄ネジ部の形成を要せず、握持棒の先端部にこの雄ネジ部と同等の螺合機能を有する製作容易な螺合山部を形成する構成とすることで、従来例に比して著しく容易に製作可能となり、更に握持棒と攪拌体との取り付け作業も極めて容易に行われる画期的なハンドミキサーを提供するものである。
【０００７】
【課題を解決するための手段】
添付図面を参照して本発明の要旨を説明する。
【０００８】
線材１を螺旋状に巻いて攪拌体２を形成し、この攪拌体２を握持棒３の先端部に取り付けて成るハンドミキサーにおいて、前記攪拌体２の前記握持棒３への取付部を、前記線材１を螺旋巻きして握持棒３の断面径と略同径若しくはやや小さい径のコイル状筒２Ａに形成し、このコイル状筒２Ａの線材１のコイルピッチを密着若しくは幅狭く形成してコイル状筒２Ａの内周に雌ネジ部４を形成し、この雌ネジ部４に螺合する螺合山部５を前記握持棒３の先端部の小範囲に一乃至複数形成し、この螺合山部５より間隔を置いた握持棒３の先端寄りに前記コイル状筒２Ａの先端部に係止する係止凸部６を形成し、この係止凸部６と螺合山部５との間隔を、螺合山部５が前記雌ネジ部４に螺合した状態で係止凸部６がコイル状筒２Ａの先端に係止する間隔に設定し、前記握持棒３の先端寄りの周面をこの握持棒３の周方向に沿って打撃して溝７を形成することで、この溝７に隣接する握持棒３の外周面を他の握持棒３の外周面よりも膨出せしめ、この膨出部を前記係止凸部６としたことを特徴とするハンドミキサーに係るものである。
【０００９】
また、前記握持棒３の先端部に、前記雌ネジ部４に螺合する雄ネジ部として機能する１／２条から１条程度の前記螺合山部５を設けたことを特徴とする請求項１記載のハンドミキサーに係るものである。
【００１０】
【発明の実施の形態】
好適と考える本発明の実施の形態（発明をどのように実施するか）を、図面に基づいてその作用効果を示して簡単に説明する。
【００１１】
前記従来技術の項で述べた従来例のように、握持棒下端部の所定範囲に雄ネジとして機能する複数条のネジ山を形成することは、非常に厄介で且つコストもかかるという問題があったが、本発明では、握持棒３の先端部の小範囲に、雌ネジ部４に螺合する螺合山部５を前記握持棒３の先端部の小範囲に一乃至複数形成する構成であるから、この螺合山部５は例えば単なる突起でも良く、従来のようにネジ山を旋削や転造により形成する場合に比して簡易に設計実現可能な構成であり、量産性に秀れコスト安に構成可能となる。
【００１２】
攪拌体２のコイル状筒２Ａの内周の雌ネジ部４に、握持棒３を回動させながらこの握持棒３の先端部の小範囲に一乃至複数形成した螺合山部５を螺合すると、握持棒３の先端部に攪拌体２を取り付け固定したハンドミキサーが完成する。
【００１３】
また、この際、握持棒３の断面径と略同径か若しくはやや小さい径のコイル状筒２Ａのバネ性に抗してこのコイル状筒２Ａを広げながら螺合山部５が雌ネジ部４に螺着することになるので、この雌ネジ部４が螺合山部５と握持棒３の先端部とを押さえ込むことになり、螺合山部５も雌ネジ部４に喰い込んで極めて強固にネジ込み固定されることになる。
【００１４】
また、コイル状筒２Ａのバネ性に抗して握持棒３の螺合山部５をネジ込み回動することは比較的容易に行えるが、逆に取り外そうとする方向へ回動させることはコイル状筒２Ａのバネ性によって非常に困難となるので、攪拌体２の握持棒３への取り付け作業が容易であって尚且つこの取り付け固定状態が極めて強固に保持されることになる秀れた構成となる。
【００１５】
従って、従来例と同様に、握持棒３先端部の螺合山部５を攪拌体２のコイル状筒２Ａ（雌ネジ部４）にネジ込んで止着するだけで良いから簡単にして握持棒３の下端部に攪拌体２を取り付けることができ、それだけ作業能率を向上でき、製品のコストダウンを図ることができる。
【００１６】
また、攪拌体２を棒状体３の先端部に取り付けるにあたって、接着材の使用や加熱接合（溶接）を一切行わず、単なるネジ込み作業によって攪拌体２を棒状体３の先端部に取り付け固定する構成のため、極めて衛生的で人体に無害なハンドミキサーを構成できることとなり、更に、加熱接合を行った場合には、線材１の焼きがなまってこの線材１を螺旋巻きした攪拌体２（やコイル状筒２Ａ）の前記バネ性が損なわれて、前記握持棒３並びに螺合山部５への押さえ込み係止力が減退したり、攪拌体２が変形したまま形が戻らなくなってしまうことがあるが、このような加熱接合を全く行わない本発明においてはバネ性が失われることはなく、コイル状筒２Ａのバネ性によって攪拌体２の握持棒３への取り付け時の前記作用効果が極めて良好に発揮され、且つ攪拌体２（並びにコイル状筒２Ａ）の原形・バネ性も長期間にわたり保持されることになる。
【００１７】
また、この際、螺合山部５をコイル状筒２Ａにネジ込んでいくと、この螺合山部５が前記雌ネジ部４に螺合した状態で、係止凸部６がコイル状筒２Ａの先端に係止することになる。
【００１８】
従って、握持棒３の先端部の小範囲にだけ形成した螺合山部５が、コイル状筒２Ａの内周の雌ネジ部４を通り越して攪拌体２内にまで達してしまうことが確実に防止されることになり、確実に一回のネジ込み動作で握持棒３の先端部に攪拌体２を取り付け固定できる作業性に秀れた構成となる。
【００１９】
【実施例】
本発明の具体的な実施例について図面に基づいて説明する。
【００２０】
本実施例は、図１に示すように、バネ性を有する線材１を螺旋状に巻いて略球状の攪拌体２を形成し、この攪拌体２を握持棒３の先端部に取り付けて成るハンドミキサーに適用している。
【００２１】
尚、図示していないが、球状の攪拌体２内にビー玉などの飾り玉を入れても良いし、バイオセラミックなどの健康水を作る鉱石や，固形の清涼飲料素や，果実飲料素を入れても良いし、これらの飲料素を封入したカプセルなどを入れても良い。
【００２２】
本実施例では、前記攪拌体２の前記握持棒３への取付部を、前記線材１を螺旋巻きして握持棒３の断面径よりやや小さい径のコイル状筒２Ａに形成し、このコイル状筒２Ａの線材１のコイルピッチを密着形成してコイル状筒２Ａの内周に雌ネジ部４を形成している。
【００２３】
一方、この雌ネジ部４に螺合する螺合山部５を前記握持棒３の先端部の小範囲に一乃至複数形成している。
【００２４】
具体的には、図２に示すように、前記握持棒３の先端部に、前記雌ネジ部４に螺合する雄ネジ部として機能する螺旋形状のネジ山を螺合山部５として１／２条程度設けている。
【００２５】
この１／２条程度の螺合山部５は、例えば握持棒３の先端に型でプレス成形することで、容易に製作できる。
【００２６】
更に詳しく説明すると、コイル状筒２Ａの内径は、例えば、握持棒３の断面径よりも０.０５ｍｍ程小さい径に設定し、螺合山部５の外径は握持棒３の断面径よりも０.１５ｍｍ程大きい径に設定している。
【００２７】
従って、握持棒３はコイル状筒２Ａのバネ性に抗してこのコイル状筒２Ａを広げながら螺合山部５が雌ネジ部４に螺着することになるが、この雌ネジ部４が螺合山部５と握持棒３の先端部とを押さえ込むことになり、螺合山部５も雌ネジ部４に喰い込んで極めて強固にネジ込み固定されることになる構成としている。
【００２８】
また、本実施例では、この螺合山部５より間隔を置いた握持棒３の先端寄りに前記コイル状筒２Ａの先端部に係止する係止凸部６を形成している。
【００２９】
また、このように、攪拌体２を棒状体３の先端部に取り付けるにあたって、人体に有害な接着材の使用や鉛害などが懸念される加熱接合（アルゴン・スポット溶接など）を一切行わず、単なるネジ込み作業によって攪拌体２を棒状体３の先端部に取り付け固定する構成のため、極めて衛生的で人体に無害なハンドミキサーを構成できることとなり、更に、加熱接合を行った場合には、線材１の焼きがなまってこの線材１を螺旋巻きした攪拌体２（やコイル状筒２Ａ）の前記バネ性が損なわれて、前記握持棒３並びに螺合山部５への押さえ込み係止力が減退したり、攪拌体２が変形したまま形が戻らなくなってしまうことがあるが、このような加熱接合を全く行わない本実施例においてはバネ性が失われることはなく、コイル状筒２Ａのバネ性によって攪拌体２の握持棒３への取り付け時の前記作用効果が極めて良好に発揮され、且つ攪拌体２（並びにコイル状筒２Ａ）の原形・バネ性も長期間にわたり保持されることになる構成としている。
【００３０】
具体的には、握持棒３の先端寄りにこの握持棒３の周方向に沿って溝７を形成し、この溝７を形成することでこの溝７に隣接する握持棒３の外周面を他の握持棒３の外周面よりも膨出させ、この膨出部を前記係止凸部６とした構成としている。
【００３１】
更に詳しく説明すると、握持棒３の周面を打撃して溝７を形成すると、この溝７に隣接する握持棒３の外周面が自然に飛び出てくることを利用し、この飛び出た突起を前記係止凸部６とした場合を示している。従って、この構成により簡易に係止凸部６を構成できることになる。
【００３２】
また、この係止凸部６と螺合山部５との間隔を、螺合山部５が前記雌ネジ部４に螺合した状態で係止凸部６がコイル状筒２Ａの先端に係止する間隔に設定している。
【００３３】
従って、この係止凸部６によって、握持棒３の先端部にだけ形成した螺合山部５が、コイル状筒２Ａの内周の雌ネジ部４を通り越して攪拌体２内にまで達してしまうことが確実に防止されることになり、確実に一回のネジ込み動作で握持棒３の先端部に攪拌体２を取り付け固定できることになる構成としている。
【００３４】
尚、本実施例では、螺合山部５として１／２条程度の螺旋形状ネジ山を螺合山部５とした場合を示したが、例えば、１条程度の螺旋形状ネジ山を螺合山部５としても良いし、握持棒３の先端部に一乃至複数の突起などを設けてこれを螺合山部５としても良く、このような突起を螺合山部５とした場合も、雄ネジを形成する構成に比して容易に製作可能となる。
【００３５】
【発明の効果】
本発明は上述のように構成したから、前記従来技術の項で述べた従来例のように、握持棒下端部の所定範囲に雄ネジとして機能する複数条のネジ山を形成することは、非常に厄介で且つコストもかかるという問題があったが、本発明では、雌ネジ部に螺合する螺合山部を前記握持棒の先端部の小範囲に一乃至複数形成する構成であるから、この螺合山部は例えば単なる突起でも良く、従来のようにネジ山を旋削や転造により形成する場合に比して簡易に設計実現可能な構成であり、量産性に秀れコスト安に構成可能となる極めて実用性に秀れたハンドミキサーとなる。
【００３６】
しかも従来例と同様に、握持棒先端部の螺合山部を攪拌体のコイル状筒（雌ネジ部）にネジ込んで止着するだけで良いから簡単にして握持棒の下端部に攪拌体を取り付けることができるし、線材を螺旋巻きしたコイル状筒のバネ性により、コイル状筒に握持棒の螺合山部をネジ込み回動することは比較的容易に行えるが、逆に取り外そうとする方向へ回動させることは非常に困難となるので、攪拌体の握持棒への取り付けが容易で尚且つこの取り付け固定状態が極めて強固に保持されることになり、その上、この螺合山部が前記雌ネジ部に螺合した状態で係止凸部がコイル状筒の先端に係止することになるので、この螺合山部がコイル状筒の内周の雌ネジ部を通り越して攪拌体内にまで達してしまうことが確実に防止され、確実に一回のネジ込み動作で握持棒の先端部に攪拌体を取り付け固定できることになるなど極めて製作作業性に秀れ、製品のコストダウンを図ることができる実用性に秀れた画期的なハンドミキサーとなる。
【００３７】
また、攪拌体を棒状体の先端部に取り付けるにあたって、接着材の使用や加熱接合（溶接）を一切行わず、単なるネジ込み作業によって攪拌体を棒状体の先端部に取り付け固定する構成のため、極めて衛生的で人体に無害なハンドミキサーを構成できることとなり、更に、加熱接合を行った場合には、線材の焼きがなまってこの線材を螺旋巻きした攪拌体（やコイル状筒）の前記バネ性が損なわれて、前記握持棒並びに螺合山部への押さえ込み係止力が減退したり、攪拌体が変形したまま形が戻らなくなってしまうことがあるが、このような加熱接合を全く行わない本発明においてはバネ性が失われることはなく、コイル状筒のバネ性によって攪拌体の握持棒への取り付け時の前記作用効果が極めて良好に発揮され、且つ攪拌体（並びにコイル状筒）の原形・バネ性も長期間にわたり保持されることになる秀れた構成のハンドミキサーとなる。
【００３８】
また、本発明においては、前記作用効果を確実に発揮する係止凸部を簡易構成にして容易に設計実現可能となり、一層量産性に秀れ且つ安価に構成可能となる極めて実用性に秀れたハンドミキサーとなる。
【００３９】
また、請求項２記載の発明においては、前記作用効果を確実に発揮する簡易構成の螺合山部となり、しかもこの１／２条から１条程度の螺合山部は例えば実施例の項で説明したように型でプレス成形することなどにより容易に製作できるため、実現化が容易な一層実用性に秀れたハンドミキサーとなる。
【図面の簡単な説明】
【図１】  本実施例を示す概略正面図である。
【図２】  本実施例の要部を示す説明拡大断面図である。
【符号の説明】
１  線材
２  攪拌体
２Ａ  コイル状筒
３  握持棒
４  雄ネジ部
５  螺合山部
６  係止凸部
７  溝
【図１】
0003957958.tif 000002
【図２】
0003957958.tif 000003